(57)【要約】【課題】物干し竿の数に関係なく部品を共通化させて製造効率を向上させることができる昇降式物干し装置を提供する。【解決手段】昇降式物干し装置１０の本体フレーム１２の一端内部には２連滑車２０と第１滑車２２が設けられ、他端内部には第２滑車２４と巻取ドラム２６が設けられている。２連滑車２０及び第２滑車２４に掛け回された第１吊紐３０の一端部３０Ａは紐連結具３２に連結され、他端部３０Ｂは竿受３４に連結されている。２連滑車２０及び第１滑車２２に掛け回された第２吊紐３８の一端部３８Ａは紐連結具３２に連結され、他端部３８Ｂは竿受３４に連結されている。紐連結具３２と巻取ドラム２６の間に配設された巻取紐４２の一端部４２Ａは紐連結具３２に連結され、他端部４２Ｂは巻取ドラム２６に連結されている。巻取ドラム２６には駆動軸４４が嵌入され、この駆動軸４４には物干し竿昇降操作装置５０が配設されている。【選択図】図１
2007325754.tif 000002
【特許請求の範囲】
【請求項１】
取付部に単数又は複数取り付けることができる本体フレームと、この本体フレームに昇降可能に吊り下げられる物干し竿と、を備えてなる昇降式物干し装置であって、
前記本体フレームはフレームケースの一端内部に設けられた２連滑車と、この２連滑車の近傍に設けられた第１滑車と、前記フレームケースの他端内部に設けられた第２滑車と、この第２滑車の近傍に回転可能に設けられた巻取ドラムと、前記２連滑車の上滑車部及び第２滑車に掛け回されると共に一端部は前記２連滑車と巻取ドラムの間に設けられた紐連結具に連結され他端部は前記フレームケースの下方に位置する竿受に連結された第１吊紐と、前記２連滑車の下滑車部及び前記第１滑車に掛け回されると共に一端部は前記紐連結具に連結され他端部は前記フレームケースの下方に位置する竿受に連結された第２吊紐と、一端部が前記紐連結具に連結されると共に他端部が前記巻取ドラムに連結された巻取紐と、前記巻取ドラムに挿通されて巻取ドラムと共に回転する駆動軸と、を備え、
前記本体フレームの内の１つの本体フレームに取り付けられて前記物干し竿を昇降する場合に使用される物干し竿昇降操作装置と、を有してなることを特徴とする昇降式物干し装置。
【請求項２】
取付部に単数又は複数取り付けることができる本体フレームと、この本体フレームに昇降可能に吊り下げられる物干し竿と、を備えてなる昇降式物干し装置であって、
前記本体フレームはフレームケースの一端内部に設けられた２連滑車と、この２連滑車の近傍に設けられた第１滑車と、前記フレームケースの他端内部に設けられた第２滑車と、この第２滑車の近傍に回転可能に設けられた巻取ドラムと、前記２連滑車の上滑車部及び第２滑車に掛け回されると共に一端部は前記２連滑車と巻取ドラムの間に設けられた紐連結具に連結され他端部は前記フレームケースの下方に位置する竿受に連結された第１吊紐と、前記２連滑車の下滑車部及び前記第１滑車に掛け回されると共に一端部は前記紐連結具に連結され他端部は前記フレームケースの下方に位置する竿受に連結された第２吊紐と、一端部が前記紐連結具に連結されると共に他端部が前記巻取ドラムに連結された巻取紐と、前記巻取ドラムに挿通されて巻取ドラムと共に回転する駆動軸と、を備え、
前記本体フレームの内の１つの本体フレームに取り付けられる物干し竿昇降操作装置と、この物干し竿昇降操作装置を構成すると共に前記駆動軸に連結された第１歯車と、前記物干し竿昇降操作装置を構成すると共に第１歯車に噛み合う第２歯車と、前記物干し竿昇降操作装置を構成すると共に第２歯車と連結された操作用歯車と、前記物干し竿昇降操作装置を構成すると共に操作用歯車に掛け回されると共に操作用歯車を回転及び回転停止させることができる操作紐と、を有してなることを特徴とする昇降式物干し装置。
【請求項３】
取付部に単数又は複数取り付けることができる本体フレームと、この本体フレームに昇降可能に吊り下げられる物干し竿と、を備えてなる昇降式物干し装置であって、
前記本体フレームはフレームケースの一端内部に設けられた２連滑車と、この２連滑車の近傍に設けられた第１滑車と、前記フレームケースの他端内部に設けられた第２滑車と、この第２滑車の近傍に回転可能に設けられた巻取ドラムと、前記２連滑車の上滑車部及び第２滑車に掛け回されると共に一端部は前記２連滑車と巻取ドラムの間に設けられた紐連結具に連結され他端部は前記フレームケースの下方に位置する竿受に連結された第１吊紐と、前記２連滑車の下滑車部及び前記第１滑車に掛け回されると共に一端部は前記紐連結具に連結され他端部は前記フレームケースの下方に位置する竿受に連結された第２吊紐と、一端部が前記紐連結具に連結されると共に他端部が前記巻取ドラムに連結された巻取紐と、前記巻取ドラムに挿通されて巻取ドラムと共に回転する駆動軸と、を備え、
前記本体フレームの内の１つの本体フレームに取り付けられる物干し竿昇降操作装置と、この物干し竿昇降操作装置を構成すると共に前記駆動軸に連結された第１歯車と、前記物干し竿昇降操作装置を構成すると共に第１歯車に噛み合う第２歯車と、前記物干し竿昇降操作装置を構成すると共に第２歯車と連結された操作用歯車と、前記物干し竿昇降操作装置を構成すると共に操作用歯車に掛け回されるボールチェーンと、このボールチェーンのチェーンは通過させるがボールチェーンのボールは通過させないストッパー切欠部が設けられた操作紐ストッパーと、を有してなることを特徴とする昇降式物干し装置。
【請求項４】
前記取付部に前記本体フレームを複数取り付ける場合に隣り合う本体フレームに取り付けられた駆動軸を連結する連結体を設けたことを特徴とする請求項１、請求項２、請求項３記載の昇降式物干し装置。
【発明の詳細な説明】
【技術分野】
【０００１】
本発明は、物干し装置に関し、詳しくは主に室内の天井等に取り付けられて洗濯物等を吊す物干し竿を昇降させることができる昇降式物干し装置に関する。
【背景技術】
【０００２】
従来から室内の天井等に取り付けられて洗濯物等を吊るす物干し竿を一度に昇降させることができる昇降式物干し装置が提案されている（特許文献１）。
この昇降式物干し装置は昇降させる物干し竿が１本のタイプの昇降式物干し装置と、物干し竿が複数本のタイプの昇降式物干し装置とではタイプ毎に構成が相違しているため部品の構造が相違している。
このため、物干し竿が１本のタイプの昇降式物干し装置と物干し竿が多数本のタイプの昇降式物干し装置を製造する場合はそれぞれのタイプに応じてそれぞれ部品等を製造しなければならないので、昇降式物干し装置の製造効率が悪いと共に製品価格を抑えることが困難である。
そこで、昇降式物干し装置に設けられる物干し竿を伸縮するさせることにより洗濯物の多寡に対応させることも考えられるが、物干し竿の伸縮寸法にも限界があるため抜本的対策にはならない。
【特許文献１】特開２０００−２４３９１号公報
【発明の開示】
【発明が解決しようとする課題】
【０００３】
本発明は、上記事実に鑑みなされたものであり洗濯物等を吊るす物干し竿の数に関係なく部品を共通化させることにより製造効率を向上させると共に製品価格を抑えることができる昇降式物干し装置を提供するものである。
【課題を解決するための手段】
【０００４】
請求項１の発明は、取付部に単数又は複数取り付けることができる本体フレームと、この本体フレームに昇降可能に吊り下げられる物干し竿と、を備えてなる昇降式物干し装置であって、
前記本体フレームはフレームケースの一端内部に設けられた２連滑車と、この２連滑車の近傍に設けられた第１滑車と、前記フレームケースの他端内部に設けられた第２滑車と、この第２滑車の近傍に回転可能に設けられた巻取ドラムと、前記２連滑車の上滑車部及び第２滑車に掛け回されると共に一端部は前記２連滑車と巻取ドラムの間に設けられた紐連結具に連結され他端部は前記フレームケースの下方に位置する竿受に連結された第１吊紐と、前記２連滑車の下滑車部及び前記第１滑車に掛け回されると共に一端部は前記紐連結具に連結され他端部は前記フレームケースの下方に位置する竿受に連結された第２吊紐と、一端部が前記紐連結具に連結されると共に他端部が前記巻取ドラムに連結された巻取紐と、前記巻取ドラムに挿通されて巻取ドラムと共に回転する駆動軸と、を備え、
前記本体フレームの内の１つの本体フレームに取り付けられて前記物干し竿を昇降する場合に使用される物干し竿昇降操作装置と、を有してなることを特徴としている。
請求項２の発明は、取付部に単数又は複数取り付けることができる本体フレームと、この本体フレームに昇降可能に吊り下げられる物干し竿と、を備えてなる昇降式物干し装置であって、
前記本体フレームはフレームケースの一端内部に設けられた２連滑車と、この２連滑車の近傍に設けられた第１滑車と、前記フレームケースの他端内部に設けられた第２滑車と、この第２滑車の近傍に回転可能に設けられた巻取ドラムと、前記２連滑車の上滑車部及び第２滑車に掛け回されると共に一端部は前記２連滑車と巻取ドラムの間に設けられた紐連結具に連結され他端部は前記フレームケースの下方に位置する竿受に連結された第１吊紐と、前記２連滑車の下滑車部及び前記第１滑車に掛け回されると共に一端部は前記紐連結具に連結され他端部は前記フレームケースの下方に位置する竿受に連結された第２吊紐と、一端部が前記紐連結具に連結されると共に他端部が前記巻取ドラムに連結された巻取紐と、前記巻取ドラムに挿通されて巻取ドラムと共に回転する駆動軸と、を備え、
前記本体フレームの内の１つの本体フレームに取り付けられる物干し竿昇降操作装置と、この物干し竿昇降操作装置を構成すると共に前記駆動軸に連結された第１歯車と、前記物干し竿昇降操作装置を構成すると共に第１歯車に噛み合う第２歯車と、前記物干し竿昇降操作装置を構成すると共に第２歯車と連結された操作用歯車と、前記物干し竿昇降操作装置を構成すると共に操作用歯車に掛け回されると共に操作用歯車を回転及び回転停止させることができる操作紐と、を有してなることを特徴としている。
請求項３の発明は、取付部に単数又は複数取り付けることができる本体フレームと、この本体フレームに昇降可能に吊り下げられる物干し竿と、を備えてなる昇降式物干し装置であって、
前記本体フレームはフレームケースの一端内部に設けられた２連滑車と、この２連滑車の近傍に設けられた第１滑車と、前記フレームケースの他端内部に設けられた第２滑車と、この第２滑車の近傍に回転可能に設けられた巻取ドラムと、前記２連滑車の上滑車部及び第２滑車に掛け回されると共に一端部は前記２連滑車と巻取ドラムの間に設けられた紐連結具に連結され他端部は前記フレームケースの下方に位置する竿受に連結された第１吊紐と、前記２連滑車の下滑車部及び前記第１滑車に掛け回されると共に一端部は前記紐連結具に連結され他端部は前記フレームケースの下方に位置する竿受に連結された第２吊紐と、一端部が前記紐連結具に連結されると共に他端部が前記巻取ドラムに連結された巻取紐と、前記巻取ドラムに挿通されて巻取ドラムと共に回転する駆動軸と、を備え、
前記本体フレームの内の１つの本体フレームに取り付けられる物干し竿昇降操作装置と、この物干し竿昇降操作装置を構成すると共に前記駆動軸に連結された第１歯車と、前記物干し竿昇降操作装置を構成すると共に第１歯車に噛み合う第２歯車と、前記物干し竿昇降操作装置を構成すると共に第２歯車と連結された操作用歯車と、前記物干し竿昇降操作装置を構成すると共に操作用歯車に掛け回されるボールチェーンと、このボールチェーンのチェーンは通過させるがボールチェーンのボールは通過させないストッパー切欠部が設けられた操作紐ストッパーと、を有してなることを特徴としている。
請求項４の発明は、前記取付部に前記本体フレームを複数取り付ける場合に隣り合う本体フレームに取り付けられた駆動軸を連結する連結体を設けたことを特徴としている。
【発明の効果】
【０００５】
本発明の昇降式物干し装置は、物干し竿を昇降させる本体フレームを同一構造に形成したので、物干し竿の本数の多いタイプの昇降式物干し装置でも物干し竿の本数の少ないタイプの昇降式物干し装置でも部品の共通化を図ることができるので、昇降式物干し装置の製造効率を向上できるという優れた効果を有する。
また、本発明の昇降式物干し装置は、物干し竿の本数の多いタイプの昇降式物干し装置でも物干し竿の本数の少ないタイプの昇降式物干し装置でも昇降式物干し装置の製造効率を向上できるので、製品価格を抑えることができるという優れた効果を有する。
【発明を実施するための最良の形態】
【０００６】
発明を実施するために最良の形態の例として以下のような実施例を示す。
【実施例１】
【０００７】
図１乃至図７には本発明に係る昇降式物干し装置の一実施例が示されている。
図１及び図２に示されるように、この実施例の昇降式物干し装置１０は同一構造の本体フレーム１２と本体フレーム１４を備えている。これら本体フレーム１２，１４の角筒状のフレームケース１２Ａ，１４Ａは取付部としての天井に図示しない適宜手段を用いて固定されるようになっている。
前記本体フレーム１２と本体フレーム１４の間には同一形状の本体フレーム連結固定具１６，１８が配設され、本体フレーム連結固定具１６，１８を介して本体フレーム１２と本体フレーム１４は連結されている。また、前記本体フレーム連結固定具１６，１８を介することにより本体フレーム１２と本体フレーム１４を間隔を設けて配設できるようになっている。
なお、前記本体フレーム１２と本体フレーム１４は同一構造であるため、以下、本体フレーム１２の構造について説明し、本体フレーム１４の構造の説明は省略する。
図３には前記本体フレーム１２のフレームケース１２Ａの内部構造が示されている。
このフレームケース１２Ａの一端部の内部には２連滑車２０が回転可能に設けられている。また、２連滑車２０の内側近傍には第１滑車２２が回転可能に設けられている。
前記フレームケース１２Ａの他端部の内部には第２滑車２４が回転可能に設けられている。また、第２滑車２４の内側近傍には巻取ドラム２６が回転可能に設けられている。
前記２連滑車２０の上滑車部２０Ａ及び第２滑車２４には第１吊紐３０が緊張状態で掛け回されている。この第１吊紐３０の一端部３０Ａは前記２連滑車２０と巻取ドラム２６の間に配設される紐連結具３２の一端部３２Ａに連結されている。また、第１吊紐３０の他端部３０Ｂは下方に位置する長尺状の竿受３４の端部に連結されている。
前記２連滑車２０の下滑車部２０Ｂ及び前記第１滑車２２には第２吊紐３８が緊張状態で掛け回されている。この第２吊紐３８の一端部３８Ａは前記紐連結具３２の一端部３２Ａに連結されている。また、第２吊紐３８の他端部３８Ｂは下方に位置すると共に前記竿受３４と対向して設けられる長尺状の竿受３４の端部に連結されている。
図１に示されるように、前記竿受３４，３４には竿挿通孔３９が４個づつ貫通形成されており、それぞれの竿挿通孔３９に物干し竿４０の端部がそれぞれ挿通されている。従って、前記竿受３４，３４には４本の物干し竿４０が保持されている。これら物干し竿４０には図示しない洗濯物を掛けたハンガーを吊り下げることができるようになっている。
図３に示されるように、前記紐連結具３２と巻取ドラム２６の間には巻取紐４２が緊張状態で配設されている。この巻取紐４２の一端部４２Ａは紐連結具３２の他端部３２Ｂに連結され、巻取紐４２の他端部４２Ｂは前記巻取ドラム２６に連結されて巻取ドラム２６に巻き取られられるようになっている。
前記巻取ドラム２６の中心には前記フレームケース１２Ａの長手方向と直交方向に向って駆動軸４４が嵌入されている。従って、この駆動軸４４は前記巻取ドラム２６と一緒に回転するようになっている。
図１及び図３に示されるように、前記本体フレーム１２と本体フレーム１４にそれぞれ設けられた前記駆動軸４４の端部は連結体としての連結パイプ４６に嵌入されている。従って、本体フレーム１２の駆動軸４４と本体フレーム１４の駆動軸４４は連結パイプ４６を介して連結されている。この結果、前記本体フレーム１２の巻取ドラム２６が回転すると本体フレーム１４の巻取ドラム２６も一緒に回転するようになっている。
図１に示されるように、前記本体フレーム１２の駆動軸４４に対応する部分には物干し竿昇降操作装置５０が配設されている。
図４及び図５に示されるように、この物干し竿昇降操作装置５０の操作ケース５２の内部には第１歯車５４が配設されている。この第１歯車５４の駆動軸受パイプ５６には前記駆動軸４４の端部が嵌入されて連結されている。
前記第１歯車５４の下方には第２歯車５８が第１歯車５４と噛み合った状態で配設されている。この第２歯車５８には第２歯車軸５９の一端部が連結され、第２歯車軸５９の他端部は第２歯車５８と同軸上に設けられた操作用歯車６０に連結されている。
図４に示されるように、この操作用歯車６０には操作紐としての公知のボールチェーン６２が掛け回されている。このボールチェーン６２のチェーン６４にはボール６６が一定間を置いて固定されている。このボール６６は前記操作歯車６０の谷部６８に入り込むようになっている。また、前記ボールチェーン６２は図１に示されるように前記物干し竿４０よりも下方に垂れ下がるように配設されている。
図４に示されるように、前記操作ケース５２の側面板部５２Ａの内側には操作紐ストッパー７０が取り付けられている。この操作紐ストッパー７０の側面７２と側面７４は対向して形成され、背面７６に対向する部分はボールチェーン６２が通過する開放部７８とされている。また、操作紐ストッパー７０の底面８０には前記ボールチェーン６２のチェーン６４の直径より幅広で、ボール６６の直径よりも幅狭のストッパー切欠部８２が形成されている。
従って、前記ボールチェーン６２のチェーン６４は前記操作紐ストッパー７０のストッパー切欠部８２を通過できるがボール６６はストッパー切欠部８２を通過できないようになっている。従って、前記ボール６６を前記ストッパー切欠部８２に係止させればボールチェーン６２を係止させることができるようになっている。
【０００８】
なお、洗濯物等の量が多い家庭等の場合で、前記昇降式物干し装置１０の物干し竿４０が４本では足りない場合は図６に示されるように前記本体フレーム１４に本体フレーム連結固定具１６，１８を介して本体フレーム１４を必要な数だけ連結させて天井に取り付けることにより、前記物干し竿４０を必要な数だけ吊り下げることができる。
【０００９】
また、洗濯物等の量が少ない家庭等の場合で、前記昇降式物干し装置１０の物干し竿４０が１本で済む場合は図７に示されるように前記本体フレーム１２だけを天井に取り付け、第１吊紐３０の他端部３０Ｂに短尺状の竿受９０を、第２吊紐３８の他端部３８Ｂに短尺状の竿受９０を、それぞれ連結して前記竿受９０，９０に物干し竿４０を１本だけ保持させるようにしてもよい。
【００１０】
次に、実施例の昇降式物干し装置１０の作用について説明する。
本発明に係る昇降式物干し装置１０を使用しない場合は物干し竿４０が邪魔にならないように物干し竿４０は天井近くに配設されている。このため、昇降式物干し装置１０を使用する場合は物干し竿４０を降下させる必要がある。
物干し竿４０を降下する場合は操作紐ストッパー７０のストッパー切欠部８２に係止されているボールチェーン６２のボール６４をストッパー切欠部８２から外す。すると前記竿受３４及び物干し竿４０の自重によって第１吊紐３０、第２吊紐３８は図１矢印Ａ方向に引っ張られることにより紐連結具３２が図３矢印Ａ方向に移動する。これにより巻取ドラム２６に巻き取られていた巻取紐４２が巻き戻されて前記竿受３４，３４を吊り下げている第１吊紐３０、第２吊紐３８が図３矢印Ａ方向に送り出されて物干し竿４０が降下する。なお、この時巻取ドラム２６の回転により、第１歯車５４、第２歯車５８、操作用歯車６０が回転すると共に操作用歯車６０の回転により操作用歯車６０に掛け回されているボールチェーン６２も図１矢印Ｙ方向に移動する。
そして、物干し竿４０がハンガーを吊り下げ易い位置まで降下したら前記ボールチェーン６２のボール６６を操作紐ストッパー７０のストッパー切欠部８２に係止させる。これにより、物干し竿４０を最適な位置に停止させることができるので洗濯物を掛けたハンガーを物干し竿４０に吊り下げることができる。
なお、前記昇降式物干し装置１０を使用しない場合等、前記物干し竿４０を天井近くに上昇させたい場合は、前記ボールチェーン６２のボール６６を操作紐ストッパー７０のストッパー切欠部８２から外してボールチェーン６２を図１矢印Ｘ方向に引く。これにより操作用歯車６０、第２歯車５８、第１歯車５４、巻取ドラム２６が回転する。また、本体フレーム１２の巻取ドラム２６と連結パイプ４６を介して連結されていた本体フレーム１４の巻取ドラム２６も回転する。これにより、巻取紐４２が巻取ドラム２６に巻き取られて紐連結具４２が図３矢印Ｂ方向に移動する。
従って、竿受３４，３４を吊り下げている第１吊紐３０、第２吊紐３８が図３矢印Ｂ方向に引かれて前記物干し竿４０を上昇させることができる。
【００１１】
上述したように、本発明に係る昇降式物干し装置１０の本体フレーム１２と本体フレーム１４は同一の構造で形成され、しかも本体フレーム１２，１４の数を増加させれば前記物干し竿４０の数を必要な数だけ増加させることができ、本体フレーム１２，１４の数を減少させれば物干し竿４０の数を減少させることができる。
従って、前記物干し竿４０の数の多いタイプの昇降式物干し装置１０でも物干し竿４０の数の少ないタイプの昇降式物干し装置１０でも部品の共通化を図ることができるので、物干し竿４０の数の多いタイプの昇降式物干し装置１０でも物干し竿４０の数の少ないタイプの昇降式物干し装置１０でも共通の本体フレーム１２，１４で製造できるので昇降式物干し装置１０の製造を容易にすることができると共に製造効率を向上させることができる。また、これにより前記昇降式物干し装置１０の価格を抑えることができる。
また、前記昇降式物干し装置１０は同一構造の本体フレーム１２、本体フレーム１４の増減で物干し竿４０の数を増減させることができるので、昇降式物干し装置１０を天井に設置した後に家族構成の増減等の理由により洗濯物の量に変化が出ても本体フレーム１４を増減させる簡単な作業で洗濯物の多寡に簡単に対応することができ、極めて使い易く便利である。
さらに、前記昇降式物干し装置１０の本体フレーム１４を増加させても物干し竿４０の昇降は本体フレーム１２に設けられた物干し竿昇降操作装置５０を操作すればよいので物干し竿４０が増加しても昇降操作が面倒になることはない。
【００１２】
なお、実施例では昇降式物干し装置１０の前記本体フレーム１２，１４を取付部としての天井に取り付ける場合を示したが、前記本体フレーム１２，１４は昇降式物干し装置１０の設置場所によっては天井以外の取付部に取り付けるようにしてもよいことは勿論である。
また、実施例では操作紐として公知のボールチェーン６２を示したが操作紐はボールチェーン６２に限定されるものでないことは勿論である。
【図面の簡単な説明】
【００１３】
【図１】実施例の昇降式物干し装置の全体斜視図である。
【図２】実施例の昇降式物干し装置の一部分解斜視図である。
【図３】実施例の昇降式物干し装置の本体フレームの内部構造を示す斜視図である。
【図４】実施例の昇降式物干し装置の物干し竿昇降操作装置の内部構造を示す概略斜視図である。
【図５】実施例の昇降式物干し装置の巻取りドラムと物干し竿昇降操作装置の位置関係を示す概略側面図である。
【図６】実施例の昇降式物干し装置の本体フレームを多数設ける場合の一部分解斜視図である。
【図７】実施例の昇降式物干し装置の本体フレームを単数設ける場合の本体フレームの内部構造を示す斜視図である。
【符号の説明】
【００１４】
１０    昇降式物干し装置
１２    本体フレーム
１４    本体フレーム
１６    本体フレーム連結固定具
１８    本体フレーム連結固定具
２０    ２連滑車
２２    第１滑車
２４    第２滑車
２６    巻取ドラム
３０    第１吊紐
３２    紐連結具
３４    竿受
３８    第２吊紐
４０    物干し竿
４２    巻取紐
４４    駆動軸
４６    連結パイプ
５０    物干し竿昇降操作装置
５２    操作ケース
５４    第１歯車
５６    駆動軸受パイプ
５８    第２歯車
５９    第２歯車軸
６０    操作用歯車
６２    ボールチェーン
７０    操作紐ストッパー 
【図１】
2007325754.tif 000003
【図２】
2007325754.tif 000004
【図３】
2007325754.tif 000005
【図４】
2007325754.tif 000006
【図５】
2007325754.tif 000007
【図６】
2007325754.tif 000008
【図７】
2007325754.tif 000009